(57)【特許請求の範囲】
【請求項１】
第１インクを吐出する複数のノズルが第１方向に並ぶ第１ノズル列と、前記第１インクを吐出する複数のノズルが前記第１方向に並ぶ第２ノズル列と、前記第１インクと異なる色の第２インクを吐出する複数のノズルが前記第１方向に並ぶ第３ノズル列と、が前記第１方向と交差する第２方向に配列され、前記第１ノズル列と前記第２ノズル列が前記第２方向において前記第３ノズル列を挟むように設けられた記録ヘッドを用い、前記記録ヘッドと記録媒体との往復の相対走査かつ前記記録媒体の記録領域に対する複数回の相対走査により、前記記録媒体に画像を記録するための記録制御装置において、
前記第１ノズル列及び前記第２ノズル列をともに用いて１つの第１パッチを、前記第３ノズル列を用いて前記第１パッチと別の１つの第２パッチを、それぞれ記録媒体の記録領域に対する複数回の相対走査によって記録するパッチ記録手段と、
前記パッチ記録手段によって記録された前記第１パッチの測定結果およびターゲット値に基づいて、前記第１ノズル列及び前記第２ノズル列から吐出される前記第１インクの量が補正されるように、前記第１ノズル列及び前記第２ノズル列をともに用いて記録すべき画像データを補正し、前記パッチ記録手段によって記録された前記第２パッチの測定結果およびターゲット値に基づいて、前記第３ノズル列から吐出される前記第２インクの量が補正されるように、前記第３ノズル列を用いて記録すべき画像データを補正する補正手段と、
を有することを特徴とする記録制御装置。
【請求項２】
前記パッチを測定する測定手段をさらに有することを特徴とする請求項１に記載の記録制御装置。
【請求項３】
前記補正手段によって補正された前記画像データを、前記第１のノズル列を用いて記録するための第１画像データ及び前記第２のノズル列を用いて記録するための第２画像データに分配する分配手段をさらに備えることを特徴とする請求項１または２に記載の記録制御装置。
【請求項４】
前記補正手段によって補正される前記画像データは多値であることを特徴とする請求項１から３のいずれか１項に記載の記録制御装置。
【請求項５】
前記補正手段によって補正される前記画像データは多値であり、
前記補正手段により補正された多値の前記画像データを量子化する量子化手段をさらに備え、
前記量子化手段により量子化された前記画像データを、前記第１のノズル列を用いて記録するための第１画像データ及び前記第２のノズル列を用いて記録するための第２画像データに分配する分配手段をさらに備えることを特徴とする請求項１または２に記載の記録制御装置。
【請求項６】
前記パッチ記録手段は、前記第１ノズル列及び前記第２ノズル列をともに用いて、濃度の異なる複数のパッチを記録することを特徴とする請求項１から５のいずれか１項に記載の記録制御装置。
【請求項７】
第１インクを吐出する複数のノズルが第１方向に並ぶ第１ノズル列と、前記第１インクを吐出する複数のノズルが前記第１方向に並ぶ第２ノズル列と、前記第１インクと異なる色の第２インクを吐出する複数のノズルが前記第１方向に並ぶ第３ノズル列と、が前記第１方向と交差する第２方向に配列され、前記第１ノズル列と前記第２ノズル列が前記第２方向において前記第３ノズル列を挟むように設けられた記録ヘッドを用い、前記記録ヘッドと記録媒体との往復の相対走査かつ前記記録媒体の記録領域に対する複数回の相対走査により、前記記録媒体に画像を記録するための記録制御装置を用い、色ずれ補正処理によって補正された記録データに基づいて、前記第１ノズル列及び前記第２ノズル列に備えられたノズルから前記第１インクを吐出し、かつ前記第３ノズル列に備えられたノズルか前記第２インクを吐出して記録を行うことが可能な前記記録制御装置の記録すべき画像データを補正するキャリブレーション方法において、
前記第１ノズル列及び前記第２ノズル列をともに用いて１つの第１パッチを、前記第３ノズル列を用いて前記第１パッチと別の１つの第２パッチを、それぞれ記録媒体の記録領域に対する複数回の相対走査によって記録するパッチ記録工程と、
前記パッチ記録工程によって記録された前記第１パッチの測定結果およびターゲット値に基づいて、前記第１ノズル列及び前記第２ノズル列から吐出される前記第１インクの量が補正されるように、前記第１ノズル列及び前記第２ノズル列をともに用いて記録すべき画像データを補正し、前記パッチ記録工程によって記録された前記第２パッチの測定結果およびターゲット値に基づいて、前記第３ノズル列から吐出される前記第２インクの量が補正されるように、前記第３ノズル列を用いて記録すべき画像データを補正する補正工程と、
を有することを特徴とするキャリブレーション方法。
【発明の詳細な説明】
【技術分野】
【０００１】
本発明は、記録制御装置及びキャリブレーション方法に関し、特に、色ずれ補正に関するキャリブレーション機能を備えた記録制御装置、及びそのキャリブレーション方法に関するものである。
【背景技術】
【０００２】
従来、紙など各種の記録媒体に対して画像の記録を行う出力機器の１つとして、インクジェット方式の記録装置が知られている。インクジェット記録装置では、近年比較的高画質な画像の出力が行われるようになり、個人の利用のためのみならず、商品として取引されるような記録物を生産する工業用の記録装置として利用されるための役割も担うようになってきている。このため、記録装置には、記録される画像品位だけでなく記録画像の再現性に対する要求も年々高くなっており、記録画像の僅かな色調の違いや僅かな濃度ムラに対しても改善が求められている。
【０００３】
ところで、このようなインクジェット記録装置は、同色のインクについて複数の記録ヘッドもしくはノズル列を備えたものが知られている。これにより、双方向記録を可能にして記録速度の向上を図るとともに、双方向記録に起因した色ムラ防止を図ることができる。しかし、このような複数の記録ヘッドあるいは複数の吐出口列を備えた記録装置では、個々の記録ヘッドないし吐出口列の吐出特性の違いに起因して、記録画像において所望の色調が得られないことがある。これは、記録ヘッドごとあるいはノズル列ごとに吐出特性の違いが存在しあるいは生じることが１つの原因としている。このような記録ヘッドごとあるいはノズル列ごとに吐出特性が異なる要因として、インクを吐出させる発熱ヒータの発熱量（膜厚）のばらつきやインクを吐出するノズル（吐出口）の口径のばらつきなどが挙げられる。また、経年変化による発熱ヒータの発熱量の変動や、使用環境の違いによるインクの粘性の変動によっても、インク吐出量に差が生じ、記録媒体に形成された記録特性に変化が生じることもある。
【０００４】
一方、以上のようなノズル列ごとあるいは記録ヘッドごとの吐出特性の違いに起因した色調の違いに対処する技術として、キャリブレーションが知られている。このキャリブレーションは、例えば、記録ヘッドの吐出特性を補正するために画像処理の一環として行われるγ補正処理で用いるγテーブルを変更することによって行われる。具体的には、複数の記録ヘッドないし吐出口列を用いて記録媒体にパッチを記録し、そのパッチの記録結果に基づいて、γ補正処理で用いるテーブルを適切なものに設定し直すものである。そして、記録したパッチにおいて色ずれを検出する方法としては、記録したパッチを目視によって検出（検査）する方法と、スキャナなどの入力機器を用いて検出する方法がある。
【０００５】
目視による方法では、例えば、Ｃ、Ｍ、Ｙの３色材を混ぜ合わせた３次色のパッチを記録し、このパッチから色ずれを検査する方法が知られている。この方法では、無彩色になると予測される比率で混合されたＣ、Ｍ、Ｙの３次色によって形成されたパッチを中心に、各色材の付与量を僅かずつ変えた略灰色のパッチを複数記録する。そして、複数のパッチの中から最も無彩色に近いパッチを目視で選択することにより、Ｃ、Ｍ、Ｙそれぞれの色材の記録特性を検査する（特許文献１参照）。
【０００６】
また、スキャナなどの入力機器を用いる方法では、まず、Ｃ、Ｍ、Ｙ、Ｋの色材毎にパッチを記録し、それぞれのパッチをスキャナや測色計、濃度計などで読み取る。そして、読み取り値とパッチの期待値とのずれを検出し、そのずれに基づいてγ値などの値を変更することにより色味を補正する方法が知られている（特許文献２参照）。この色ずれを検出するためのパッチとしては、Ｃ、Ｍ、Ｙ、Ｋのベタパターンとグラデーションパターンによるパッチを記録することでキャリブレーション精度を向上させる方法がある。また、Ｃ、Ｍ、Ｙ、Ｋをそれぞれ組み合わせた２次色、３次色のパッチを記録することでキャリブレーション精度を向上させる方法がある。
【０００７】
さらに、記録装置の本体側におけるキャリッジにパッチを読み取るためのスキャナもしくは光センサを設け、記録したパッチの濃度測定を記録装置本体内で実行し、色ずれの補正（キャリブレーション）を自動で行う方法が知られている（特許文献３参照）。このような記録装置では、画像を読み取るスキャナヘッドが複数のインク色の記録ヘッドと共にキャリッジに搭載されている。そして、キャリブレーション指示に応じて、記録ヘッドにより記録媒体上にパッチを記録し、そのパッチの濃度測定を行い、各インク色の各階調の濃度の目標値と測定値との濃度差を算出する。これにより、各インク色の各階調の濃度補正値を求めている。
【０００８】
【特許文献１】特開平１０−２７８３１１号公報
【特許文献２】特許第２６６１９１７号公報
【特許文献３】特開２００４−１６７９４７号公報
【発明の開示】
【発明が解決しようとする課題】
【０００９】
ところで、同色のインクを吐出する複数の記録ヘッドもしくは複数のノズル列（以下、代表してノズル列という）を備えた装置の場合、各ノズル列に供給される２値データを生成する方法として、以下の方法がある。すなわち、ホストシステムで生成されたＲ、Ｇ、Ｂの多値データが２値化される前に同色インクのデータを複数のノズル列ごとに分配する方法がある。例えば、Ｃ及びＭについて、ノズル列が二列ずつ形成されてＣ１、Ｃ２のノズル列及びＭ１、Ｍ２のノズル列を有している場合、例えば、Ｃ、ＭのデータがＣ１、Ｃ２、Ｍ１、Ｍ２のデータに分配され、これらとＹ、Ｋの多値データについて画像処理が行われる。すなわち、ノズル列ごとに分配された上記の多値データについて、ノズル列ごとにそれぞれ対応するテーブルを用いてγ補正処理が行われ、またその後に、同じくノズル列ごとに２値化処理が行われる。
【００１０】
しかしながら、この場合、２値化前の多値データの段階で分配が行われるので、同色インクに対応した複数のノズル列相互の補間関係などが、多値データが２値化されたときに維持されなくなることがある。これに対し、各ノズル列の間の補間関係を保ちながら個々のノズル列に対応して２値化することが考えられるが、そのためには、処理が複雑になる。また、その処理のため、多くのメモリ容量が必要となり、処理スピードにかかる時間も増大する。
【００１１】
そして、以上のような画像処理構成においては、キャリブレーションを実施する場合においても同様の問題を生じる。すなわち、キャリブレーションでは同色インクの複数のノズル列に対応して個々にγ補正のテーブルが更新される。この場合、これらの更新されたγ補正テーブルによって２値化すると、ノズル列相互の補間関係などが維持出来ないおそれがある。あるいはこれを防止すべく各ノズル列の間の補間関係を保ちながら個々のノズル列に対応して２値化する場合は、上記のとおり処理が複雑になるという問題を生じる。
【００１２】
また、各ノズル列における記録するための２値データを生成する方法として、ホストシステムから受け取った画像データを、色変換処理、出力γ処理などの画像処理した２値化データを、それぞれのノズル列に対応して分配する方法が考えられる。しかしながら、この場合、γ補正を行うには、２値化されたデータではなく多値データの状態で色ずれ補正を行わなければならない。従って、ノズル列ごとに分配され、２値化された画像データについて、多値化し、色ずれ補正を行った後にさらに２値化する必要がある。この場合、色ずれ補正を行うために２値化されたデータを多値化し、さらに２値化するという煩雑な工程を行う必要があり、処理が複雑になってしまう。また、この方法によっても、ノズル列ごとに画像データを２値化する必要が生じるので、各ノズル列の間の補間関係を保ちながら個々のノズル列に対して２値化する必要があり、処理が複雑になってしまう。
【００１３】
そこで、本発明の目的は上記の事情に鑑み、同色のインクを吐出するノズル列群を複数有する記録装置において、小メモリで高速にキャリブレーション処理を実施することができる記録制御装置及びキャリブレーション方法を提供することである。
【課題を解決するための手段】
【００１４】
本発明の記録制御装置は、第１インクを吐出する複数のノズルが第１方向に並ぶ第１ノズル列と、前記第１インクを吐出する複数のノズルが前記第１方向に並ぶ第２ノズル列と、前記第１インクと異なる色の第２インクを吐出する複数のノズルが前記第１方向に並ぶ第３ノズル列と、が前記第１方向と交差する第２方向に配列され、前記第１ノズル列と前記第２ノズル列が前記第２方向において前記第３ノズル列を挟むように設けられた記録ヘッドを用い、前記記録ヘッドと記録媒体との往復の相対走査かつ前記記録媒体の記録領域に対する複数回の相対走査により、前記記録媒体に画像を記録するための記録制御装置において、前記第１ノズル列及び前記第２ノズル列をともに用いて１つの第１パッチを、前記第３ノズル列を用いて前記第１パッチと別の１つの第２パッチを、それぞれ記録媒体の記録領域に対する複数回の相対走査によって記録するパッチ記録手段と、前記パッチ記録手段によって記録された前記第１パッチの測定結果およびターゲット値に基づいて、前記第１ノズル列及び前記第２ノズル列から吐出される前記第１インクの量が補正されるように、前記第１ノズル列及び前記第２ノズル列をともに用いて記録すべき画像データを補正し、前記パッチ記録手段によって記録された前記第２パッチの測定結果およびターゲット値に基づいて、前記第３ノズル列から吐出される前記第２インクの量が補正されるように、前記第３ノズル列を用いて記録すべき画像データを補正する補正手段と、を有することを特徴とする。
【００１６】
また、本発明のキャリブレーション方法によれば、インクを吐出するノズルが所定方向に配列した第１ノズル列と、前記第１ノズル列と同一色のインクを吐出するノズルが前記所定方向に配列した第２ノズル列と、を有した記録ヘッドと記録媒体との相対走査により前記記録媒体に画像を記録するための記録制御装置を用い、色ずれ補正処理によって補正された記録データに基づいて、前記第１ノズル列及び前記第２ノズル列に備えられたノズルからインクを吐出して記録を行うことが可能な前記記録制御装置の記録すべき画像データを補正するキャリブレーション方法において、前記第１ノズル列及び前記第２ノズル列をともに用いて記録された１つのパッチを記録するパッチ記録工程と、前記パッチ記録工程によって記録された前記パッチの測定結果に基づいて、前記第１ノズル列及び前記第２ノズル列をともに用いて記録すべき画像データを補正する補正工程とを有することを特徴とする。
【発明の効果】
【００１８】
本発明の記録装置及びキャリブレーション方法によれば、同一インク色に対して複数のノズル列を用いてパッチを形成し、このようにして記録されたパッチに基づいてテーブルが設定されてキャリブレーションが行われることになる。従って、小メモリで高速にキャリブレーション処理を実施することが可能となる。
【発明を実施するための最良の形態】
【００１９】
以下、図面を参照して本発明の実施形態を詳細に説明する。  
［第１の実施形態］
図１は、本発明の第１の実施形態に係る記録システムの構成を示すブロック図である。図１において、情報処理装置としてのホスト１００は、パーソナルコンピュータやデジタルカメラなど、プリンタ（記録装置）２００に接続される装置である。このホスト１００は、ＣＰＵ１０と、メモリ１１と、記憶部１３と、キーボードやマウス等の入力部１２と、プリンタ２００との間の通信のためのインタフェース１４とを備えている。ＣＰＵ１０は、メモリ１１に格納されたプログラムに従い、種々の処理を実行するものである。これらのプログラムは、記憶部１３が記憶するためにＣＤ−ＲＯＭなどの外部装置から供給されたり、予め記憶部１３に記憶されている。
【００２０】
ホスト装置１００はインタフェースを介して記録装置としてのプリンタ２００と接続されており、後述する画像処理工程におけるＲ′、Ｇ′、Ｂ′で表される記録データと、その後の画像処理用のテーブルをプリンタ２００に送信する。
【００２１】
プリンタ２００は、送信された画像処理情報を基に、特に後述の色処理、２値化処理等の画像処理や、本実施形態に関する記録特性の補正処理を実行する。また、画像処理を施した記録データの記録を行うことができる。
【００２２】
＜プリンタ構成＞
図２は、上述したプリンタ２００の機械的構成を示す概略斜視図である。図２において、記録用紙やプラスチックシート等の記録媒体１は、不図示のカセット等に複数枚が積層されることにより、記録時には不図示の給紙ローラによって１枚ずつ分離されて供給される。そして、給紙された記録媒体は、一定間隔を隔てて配置される第１搬送ローラ３及び第２搬送ローラ４により、記録ヘッドの走査に応じたタイミングで矢印Ａ方向（搬送方向、副走査方向とも称する）に所定量ずつ搬送される。なお、第１搬送ローラ３は、ステッピングモータ（不図示）によって駆動される駆動ローラと駆動ローラの回転にともなって回転する従動ローラの１対のローラからなり、同様に、第２搬送ローラも１対のローラからなる。なお、プリンタ（記録装置）２００では、カセットに積層された所定の大きさにカットされた記録媒体以外に、ロール状の記録媒体に記録することも可能である。
【００２３】
記録ヘッド５は、ＹＭＣＫ各色のインクを吐出して記録を行うインクジェット方式の記録ヘッドである。本実施形態における記録ヘッド５は、分離した複数の記録ヘッドの集合体として形成されている。集合体としての記録ヘッド５を形成する分離したそれぞれの記録ヘッドは、ノズル列５ａ、５ｂ、５ｃ、５ｄ、５ｅ及び５ｆをそれぞれ有している。記録ヘッド５には、不図示のインクカートリッジからインクが供給される。そして、記録ヘッド５は、吐出信号に応じて駆動されることによりノズル列を形成するそれぞれのノズル（吐出口）から各色のインクを吐出する。すなわち、ノズル列５ａから５ｆのインクを吐出するそれぞれのノズル内には、電気熱変換素子（ヒータ）が設けられている。そして、吐出信号に応じた電気熱変換素子の駆動により発生する熱エネルギーを利用してインクに気泡を発生させ、この気泡の圧力によってインクを吐出する。
【００２４】
この記録ヘッド５はキャリッジ６に搭載されている。キャリッジ６にはベルト７及びプーリ８ａ、８ｂを介してキャリッジモータ２３の駆動力が伝達され、これにより、キャリッジ６はガイドシャフト９に沿って往復運動でき、記録ヘッド５の主走査方向への走査を行うことが可能となる。また、キャリッジ６の側面には多目的センサ１０２が搭載されている。多目的センサ１０２は記録媒体に吐出したインクの濃度検知や、記録媒体の幅検知、記録媒体までの距離検知などに使用される。
【００２５】
以上の構成において、記録ヘッド５は、矢印Ｂ方向に往復走査しながら吐出信号に応じて記録ヘッドからインクを吐出することで、記録媒体１上にインクのドットを形成して記録を行うことができる。記録ヘッド５は、必要に応じてホームポジションに移動し、ホームポジション位置に設けられた吐出回復装置による回復動作を行うことにより、吐出口の目詰まり等による吐出不良の状態から回復する。記録ヘッド５による記録走査（インクを吐出しながらの走査）の後、搬送ローラ対３、４が駆動されて記録媒体１は矢印Ａ方向に所定量搬送される。この記録ヘッド５の記録走査と記録媒体の搬送動作とを交互に繰り返すことにより、記録媒体１に画像等の記録を行うことができる。
【００２６】
図３は、記録ヘッド５をインクの吐出面から見た正面図を示すものである。図３において、記録ヘッド５には６個のノズル列５ａ〜５ｆが搭載されている。ノズル列５ａと５ｆにはシアン（Ｃ）インク、５ｂと５ｅにはマゼンタ（Ｍ）インク、５ｃにはイエロー（Ｙ）インク、５ｄにはブラック（Ｋ）インクが供給される。（以下、ノズル列５ａはＣ１ノズル列、ノズル列５ｂはＭ１ノズル列、ノズル列５ｃはＹノズル列、ノズル列５ｄはＫノズル列、ノズル列５ｅはＭ２ノズル列、５ｆはＣ２ノズル列と称する。）なお、インク色の種類はこれらの種類のみに限られるものではない。また、集合体としての記録ヘッド５を形成する記録ヘッドのそれぞれに形成されるノズル列は一列に限定されず、二列以上に配列されたノズル列群であっても良い。
【００２７】
このように、本実施形態では、記録ヘッド５は、複数の色に対応して記録するために、複数の記録ヘッドを有していることで、インクを吐出する複数のノズルが列状に配列された複数のノズル列を有している。そして、本実施形態では、複数のノズル列には、Ｃ１ノズル列とＣ２ノズル列、Ｍ１ノズル列とＭ２ノズル列のように、同色のインクを吐出するノズル列が含まれている。
【００２８】
図４は、上述したプリンタ２００の制御構成を示すブロック図である。この制御系の制御部２０は、図４に示すように、マイクロプロセッサ等のＣＰＵ２０ａ、ＲＯＭ２０ｃ及びＲＡＭ２０ｂ等をメモリとして備えている。ＲＯＭ２０ｃは、ＣＰＵ２０ａの制御プログラムや記録動作に必要なパラメータなどの各種データを格納している。ＲＡＭ２０ｂは、ＣＰＵ２０ａのワークエリアとして使用されると共に、ホスト装置から受信した画像データや生成した記録データなどの各種データの一時保管等を行う。また、ＲＯＭ２０ｃには図７を用いて後に説明するテーブルとしてのＬＵＴ（ルックアップテーブル）が、ＲＡＭ２０ｂにはパッチを記録するためのパッチデータがそれぞれ格納されている。なお、ＬＵＴはＲＡＭ２０ｂに格納してもよく、同様に、パッチデータはＲＯＭ２０ｃに格納してもよい。
【００２９】
この制御部２０は、インタフェース２１を介してホスト１００との間で画像データ等の記録に用いられるデータ、パラメータを入出力する処理や、操作パネル２２から各種情報（例えば文字ピッチ、文字種類等）を入力する処理を行う。また、制御部２０は、インタフェース２１を介して各モータ２３〜２６を駆動させるためのＯＮ、ＯＦＦ信号を出力する。さらに、吐出信号等をドライバ２８に出力して記録ヘッドにおけるインク吐出のための駆動を制御する。
【００３０】
また、この制御系は、インタフェース２１、操作パネル２２、ドライバ２７及び２８を有している。ドライバ２７は、ＣＰＵ２０ａからの指示に従ってキャリッジ駆動用のモータ２３、給紙ローラ駆動用のモータ２４、第１搬送ローラ対駆動用のモータ２５、第２搬送ローラ対駆動用のモータ２６を駆動する。ドライバ２８は記録ヘッド５それぞれを駆動する。
【００３１】
次に、キャリッジ６に搭載された多目的センサ１０２について図５を用いて説明する。
【００３２】
図５（ａ）、（ｂ）は、多目的センサ１０２を示す構成図である。図５（ａ）は多目的センサ１０２の平面図を、図５（ｂ）は断面図を、それぞれ示している。
【００３３】
多目的センサ１０２は、測定領域が記録ヘッド５の記録面に対し下流側に位置し、センサ１０２の下面が記録ヘッド５の下面と同位置もしくはそれよりも高くなるように配置されている。多目的センサ１０２は、光学素子として２つのフォトトランジスタと３つの可視ＬＥＤ、１つの赤外ＬＥＤを備えており、それぞれの素子の駆動は不図示の外部回路によって行われる。これらの素子は全て直径が最大部分で約４ｍｍの砲弾型素子（一般的なφ３.０〜３.１ｍｍサイズの量産型タイプ）である。
【００３４】
赤外ＬＥＤ２０１は、ＸＹ平面と平行な記録媒体の表面（測定面）に対して４５度の照射角を持ち、その照射光中心（照射光の光軸であり、照射軸と称する）は測定面の法線（Ｚ軸）と平行なセンサ中心軸２０２と所定の位置で交差するように配置されている。この交差する位置（交点）のＺ軸上における位置を基準位置とし、センサから基準位置までの距離を基準距離とする。赤外ＬＥＤ２０１の照射光は開口部によって照射光の幅が調整され、基準位置にある測定面に直径約４〜５ｍｍの照射面（照射領域）を形成するように最適化される。なお、本実施形態においては、発光素子から測定面に対して照射された照射光の照射範囲の中心点と発光素子の中心とを結ぶ直線を発光素子の光軸（照射軸）と称する。この照射軸は、照射光の光束の中心でもある。
【００３５】
２つのフォトトランジスタ２０３、２０４は可視光から赤外光までの波長の光に対し感度を持つ。測定面が基準位置にあるとき、フォトトランジスタ２０３、２０４は、その受光軸が赤外ＬＥＤ２０１の反射軸と平行となるように設置されている。すなわち、反射軸に対しフォトトランジスタ２０３の受光軸はＸ方向に＋２ｍｍ、Ｚ方向に＋２ｍｍ移動した位置となるように配置されている。また、フォトトランジスタ２０４の受光軸はＸ方向に−２ｍｍ、Ｚ方向に−２ｍｍ移動した位置となるように配置されている。測定面が基準位置にあるとき、測定面と赤外ＬＥＤ２０１と可視ＬＥＤ２０５の照射軸の交点が一致し、また、この位置における２つのフォトトランジスタ２０３、２０４の受光領域がこの交点を挟むように形成される。２つの素子の間には厚さ約１ｍｍのスペーサーがはさまれており、互いに受光した光が回り込まないような構造となっている。フォトトランジスタ側にも入光範囲を制限するために開口部が設けられており、その大きさは基準位置にある測定面の直径３〜４ｍｍの範囲の反射光のみを受光可能となるように最適化される。なお、本実施形態においては、測定面（測定対象表面）において、受光素子が受光可能である領域（範囲）の中心点と受光素子の中心とを結ぶ線を受光素子の光軸（または受光軸）と称する。この受光軸は、測定面で反射し、受光素子に受光される反射光の光束の中心でもある。
【００３６】
図５（ａ）及び（ｂ）において、ＬＥＤ２０５は、緑色の発光波長（約５１０〜５３０ｎｍ）を持つ単色可視ＬＥＤであり、センサ中心軸２０２と一致するように設置される。
【００３７】
また、ＬＥＤ２０６は、青色の発光波長（約４６０〜４８０ｎｍ）を持つ単色可視ＬＥＤであり、図５（ａ）に示すように可視ＬＥＤ２０５に対しＸ方向に＋２ｍｍ、Ｙ方向に−２ｍｍ移動した位置にある。そして、測定面が基準位置にあるとき、可視ＬＥＤ２０６の照射軸と測定面との交点位置においてフォトトランジスタ２０３の受光軸と交差するように配置される。
【００３８】
さらに、ＬＥＤ２０７、は赤色の発光波長（約６２０〜６４０ｎｍ）を持つ単色可視ＬＥＤであって、図５（ａ）に示すように可視ＬＥＤ２０５に対しＸ方向に−２ｍｍ、Ｙ方向に＋２ｍｍ移動した位置にある。そして、測定面が基準位置にあるとき、可視ＬＥＤ２０７の照射軸と測定面との交点位置においてフォトトランジスタ２０４の受光軸と交差するように配置される。
【００３９】
図６に、本実施形態に係る多目的センサ１０２のそれぞれのセンサの入出力信号を処理する制御回路の概略図を示す。ＣＰＵ３０１は、赤外ＬＥＤ２０１及び可視ＬＥＤ２０５〜２０７のオン／オフの制御信号の出力やフォトトランジスタ２０３、２０４の受光量に応じて得られる出力信号の演算などを行う。駆動回路３０２は、ＣＰＵ３０１から送られるオン信号を受けてそれぞれの発光素子へ定電流を供給し発光させたり、受光素子の受光量が所定量となるようにそれぞれの発光素子の発光量を調整したりする。Ｉ／Ｖ変換回路３０３は、フォトトランジスタ２０３、２０４から電流値として送られてきた出力信号を電圧値に変換する。増幅回路３０４は、微小信号である電圧値に変換後の出力信号を、Ａ／Ｄ変換において最適なレベルまで増幅する働きをする。Ａ／Ｄ変換回路３０５は、増幅回路３０４で増幅された出力信号を１０ｂｉｔディジタル値に変換してＣＰＵ３０１に入力する。メモリ（不揮発性メモリなど）３０６は、ＣＰＵ３０１の演算結果から所望の測定値を導き出すための参照テーブルの記録や出力値の一時的な記憶に用いられる。なお、このＣＰＵ３０１やメモリ３０６は、記録装置のＣＰＵ２０ａやＲＡＭ２０ｂを用いてもよい。
【００４０】
次に、プリンタ２００で用いる記録データを、ホスト装置１００とプリンタ２００で生成するための画像処理方法について説明する。
【００４１】
図７は、本実施形態の画像処理の構成を示すブロック図である。本実施形態の画像処理では、レッド（Ｒ）、グリーン（Ｇ）、ブルー（Ｂ）各色８ビット（それぞれ２５６階調）の画像データ（輝度データ）が入力される。そして、最終的にＣ１ノズル列群、Ｃ２ノズル列群、Ｍ１ノズル列群、Ｍ２ノズル列群、Ｙノズル列群、Ｋノズル列群が吐出する各ノズル列群１ビットのビットイメージデータ（記録データ）として出力する処理を行う。なお、色の種類や、色の階調はこの値に限るものではない。
【００４２】
まず、ホスト装置１００において、３次元のＬＵＴ４０１を用いてＲ、Ｇ、Ｂ各色８ビットの輝度信号で表現される画像データが、各色８ビットまたは１０ビットのＲ′、Ｇ′、Ｂ′のデータに変換される。この色空間変換前処理（前段色処理とも称する）は、記録対象におけるＲ、Ｇ、Ｂの画像データが表わす入力画像の色空間と、プリンタ２００で再現可能な色空間との間の差を補正するために行なわれる。
【００４３】
前段色処理を施されたＲ′、Ｇ′、Ｂ′各色のデータは、プリンタ２００に送信される。プリンタ２００は、３次元ＬＵＴ４０２を用いてホスト装置より受信した前段色処理を施されたＲ′、Ｇ′、Ｂ′各色のデータをＣ、Ｍ、Ｙ、Ｋ各色１０ビットのデータに変換する。この色変換処理（後段処理とも称する）は、輝度信号で表現される入力系のＲＧＢ系画像データを、濃度信号で表現するための出力系のＣＭＹＫ系の画像データに色変換するために行なわれる。入力データはディスプレイなど発光体の加法混色の３原色（ＲＧＢ）で作成されている場合が多く、一方、プリンタなどでは光の反射で色を表現する減法混色の３原色（ＣＭＹ）が用いられているため、このような色変換処理が行なわれる。
【００４４】
なお、上述した前段色処理や後段色処理に用いられる３次元ＬＵＴは、各色の組み合わせによって表わされる、例えば３次元空間上の点のうち所定間隔にある点（代表点）に対するデータのみが用意されている。各色１０ビットのデータの組み合わせ全てに対応してテーブルデータを用意すると３次元ＬＵＴの容量が大きくなってしまうため、必要となるメモリ容量を節約するために代表点に対応するデータが用意されている。従って、所定間隔にある代表点以外の点の１０ビットデータへの変換は、補間処理を用いて行われる。なお、この補間処理は公知の技術により行なわれている。
【００４５】
次に、後段色処理が施されたＣ、Ｍ、Ｙ、Ｋ各色１０ビットのデータは、それぞれの色の１次元ＬＵＴ４０３により出力γ補正が行なわれる。通常、記録媒体の単位面積当たりに記録されるドットの数と、記録された画像を測定して得られる反射濃度などの記録特性は、線形関係にならない。そのため、Ｃ、Ｍ、Ｙ、Ｋ各１０ビットの入力階調レベルとそれによって記録される画像の濃度レベルが線形関係となるように、Ｃ、Ｍ、Ｙ、Ｋ各１０ビットの入力階調レベルを補正する出力γ補正処理が行なわれる。
【００４６】
一般に、出力γ補正テーブル（１次元ＬＵＴ４０３）は、標準的な記録特性を示す記録ヘッド用に作成されたものが用いられることが多い。しかし、前述したように、記録ヘッドには吐出特性に関して個体差があるため、標準的な吐出特性を示す記録ヘッドを用いた記録装置による記録特性を補正する出力γ補正テーブルだけでは、全ての記録装置に対して適切な出力結果を得ることができない。
【００４７】
このため、本実施形態では、出力γ補正が施されたＣ、Ｍ、Ｙ、Ｋ各色１０ビットのデータについて、それぞれの色の色ずれ補正用１次元ＬＵＴ４０４によって色ずれ補正出力γ補正が行われる。すなわち、Ｃ、Ｍ、Ｙ３色の記録特性の組み合わせによって生ずる色ずれに関する情報を取得して、その情報に基づいて最適な色ずれ補正用１次元ＬＵＴ４０４を用いるように設定される。そして、設定されたＬＵＴについて、後述するキャリブレーションの開始命令があったときに多目的センサ１０２によってキャリブレーションが行われる。
【００４８】
図８は、画像データについてのそれぞれの補正処理の流れを示すフローチャートである。画像データは、ステップＳ４１１で色空間変換処理を行い、ステップＳ４１２で色変換処理を行い、ステップＳ４１３で出力γ処理を行う。そして、ステップＳ４１４で色ずれ補正処理を行う。
【００４９】
その後、ステップＳ４１５で２値化工程（量子化処理）を行い、ステップＳ４１６でパス分解／ノズル列分配処理を行う。本実施形態のプリンタ２００は、２値記録装置であるので、量子化処理４０５として、上記のように得られたＣ、Ｍ、Ｙ、Ｋ各色１０ビットのデータをＣ、Ｍ、Ｙ、Ｋ各色１ビットのデータに２値化する２値化処理を行っている。２値化処理後、マスクパターンなどを使用して各ノズル列に対して１ビットの記録データを分配するノズル列分配処理４０６を行う（画像データ分配工程）。マルチパスで記録する記録モードの場合、パス分解と組み合わせたパスマスクパターンによってパスごとに分配しても良い。本実施形態では、ステップＳ４１５で量子化されたＣのデータからは、Ｃ１ノズル列群用とＣ２ノズル列用の記録データに分配する。ステップＳ４１５で量子化されたＭのデータからは、Ｍ１ノズル列用とＭ２ノズル列用の記録データに分配する。ステップＳ４１５で２値化されたＹとＫデータについては、ノズル列分配処理は行われずに、そのままノズル列Ｙ及びノズル列Ｋに送られる。本実施形態では、２値化の手法として誤差拡散法を用いているが、２値化の方法は誤差拡散法の他にディザ法を用いてもよい。
【００５０】
なお、１次元ＬＵＴ４０３と色ずれ補正に用いられる１次元ＬＵＴ４０４を組み合わせて１つのＬＵＴを生成し、使用しても良い。すなわち、標準的な吐出特性を示す記録ヘッド用の出力γ補正テーブルと色ずれ補正用のテーブルとが合わされたテーブルに基づいて補正を行い、記録ヘッド用の出力γ補正テーブル（１次元ＬＵＴ４０３´）を作成する。以下、出力γ補正処理及び色ずれ補正処理を合わせた処理を、色ずれ補正処理ともいう。このように、後段色変換処理が施されたＣ、Ｍ、Ｙ、Ｋ各色１０ビットのデータは、それぞれの色の１次元ＬＵＴ４０３´によって出力γ補正及び色ずれ補正が一度に行われても良い。この場合、出力γ補正ステップ及び色ずれ補正ステップは４０３´のみとなり、図７に示されるステップ４０４は省略される。
【００５１】
ここで、キャリブレーション工程について説明する。
【００５２】
ホスト装置１００の入力部１２やＣＰＵ１０あるいは記録装置２００の操作パネル２２等より、キャリブレーション開始命令が入力されると、記録装置のＣＰＵ２０ａは給紙モータ２４を駆動して給紙トレイから記録媒体の供給を開始する。記録ヘッドによる記録が可能な領域まで記録媒体を搬送したあとは、記録媒体の副走査方向への搬送動作と、キャリッジモータ２３を駆動したキャリッジ６の主走査方向への記録走査とを交互に行う。本実施形態の記録ヘッドの走査と記録媒体の搬送を繰り返しながらパッチ（テストパターン、パターン）を記録することで、記録媒体上にキャリブレーションに必要な数のパッチが形成される。
【００５３】
図９はパッチを示す概略図である。パッチを構成する各カラーパッチに記載されているＡ〜Ｄまでの英字はそれぞれ、Ｃ１、Ｍ１、Ｙ、Ｋ、Ｍ２、Ｃ２から吐出されたインクによって記録されたパッチである。また、１〜５までの数字は、記録するカラーパッチの濃度階調をランク付けしたものである。階調値は５値に限るものではない。また、数字の大きさと階調の高さが関連するとは限らない。
【００５４】
ここで、パッチを作成するに際して、Ｃ（シアン）についてのパッチであるＡ１〜Ａ５は、ノズル列５ａ（Ｃ１）とノズル列５ｆ（Ｃ２）の二つのノズル列が用いられてパッチが作成されている。また、Ｍ（マゼンタ）についても同様に、Ｂ１〜Ｂ５は、ノズル列５ｂ（Ｍ１）とノズル列５ｅ（Ｍ２）の二つのノズル列が用いられてパッチが作成されている。
【００５５】
図１０は、キャリブレーション実行の指示があったときのパッチの記録開始から濃度測定までプリンタ２００の動作の流れを説明するフローチャートである。
【００５６】
ホスト装置または記録装置の操作パネルより、パッチを記録して濃度を測定するキャリブレーション動作の実行の指示が入力されると、まず、パッチの記録のために、記録媒体を供給する（Ｓ９０１）。そして、パッチ記録手段としての記録ヘッド５が、パッチＡ、Ｂ、Ｃ、Ｄを記録する（Ｓ９０２）（パッチ記録工程）。パッチＡは、同一色ＣのＣ１及びＣ２ノズル列を使用して記録する。パッチＢは、同一色ＭのＭ１及びＭ２ノズル列を使用して記録する。そして、パッチＣは、Ｙノズル列を使用して記録する。パッチＤは、Ｋノズル列を使用して記録する。
【００５７】
ここで、Ｃ１ノズル列及びＣ２ノズル列の両方から吐出されたインクを用いて作成するパッチＡについての、それぞれのノズル列から吐出されるインクの割合は、プリンタ２００が記録媒体に記録を行う際に吐出されるインクと同様の割合によって記録される。パッチを作成する際には、同じ色について階調の異なる複数のパッチが作成されるが、いずれの階調においても、実際に記録される際に吐出される割合で、それぞれのノズル列からインクが吐出される。このとき、それぞれのパッチを作成する際には、マスクが用いられてパッチの濃度が調節される。また、マゼンタを吐出するそれぞれのＭ１ノズル列及びＭ２ノズル列についても同様に、実際に記録される際に吐出される割合によってそれぞれのノズル列からインクが吐出されてパッチが作成される。また、マゼンタのパッチの濃度についても、マスクが用いられて濃度が調節される。
【００５８】
次に、Ｓ９０２において記録したパッチを乾燥させるために、所定時間待機するためのタイマーカウンタをスタートする（Ｓ９０３）。続いて多目的センサ１０２を用いてパッチが記録されていない白レベル（記録媒体の地色）の反射光度測定を開始する（Ｓ９０４）。白レベルの測定結果はこの後に記録するパッチの濃度値算出を行う際の、基準白として利用される。このため、白レベルの値はＬＥＤ毎にそれぞれ保持される。ここで、パッチが記録されていない記録媒体の空白部分の濃度は、記録媒体の地色が測定され、白い記録媒体であれば地色は白色である。本実施形態においては、白い地色の記録媒体を用いる例について説明する。
【００５９】
乾燥タイマーのカウンタが所定時間経過したことが確認された後（Ｓ９０５）、パッチＡ、Ｂ、Ｃ、Ｄの反射光度測定を開始する（Ｓ９０６）。反射光度測定は、多目的センサ１０２に搭載されているＬＥＤ２０５から２０７のうち、濃度測定するインク色に適したＬＥＤを点灯し、パッチの濃度を測定する測定手段としてのフォトトランジスタ２０３及び２０４により反射光を読み取ることにより行う。緑色ＬＥＤ２０５は、例えば、Ｍインクにより記録されたパッチ、及びパッチが記録されていない空白部分（白色）を測定する時に点灯する。また、青色ＬＥＤ２０６は、例えば、Ｙインク、Ｋインクにより記録されたパッチ、及びパッチが記録されていない空白部分（白色）を測定する時に点灯する。さらに、赤色ＬＥＤ２０７は、例えば、Ｃにより記録されたパッチ及びパッチが記録されていない空白部分（白色）を測定する時に点灯する。
【００６０】
ステップＳ９０６が終了すると、それぞれのパッチと空白部分（白色）の双方からの出力値に基づいて、パッチの濃度値を算出し、それぞれのパッチの濃度値は、記録装置本体内のメモリ３０６またはＲＡＭ２０ｂに保存される（Ｓ９０７）。その後、記録媒体の排出処理を行い、処理を終了する（Ｓ９０８）。
【００６１】
そして、上述した濃度測定値に基づき、色ずれ補正処理の内容が更新される。本実施形態では、色ずれ補正処理に用いられるテーブルに対して補正処理が行われる。ここでは、濃度測定により得られた各パッチの濃度測定値と、ターゲット値と称する予め定められている所定の目標濃度とを比較し、記録したときのパッチの濃度がターゲット値に近づくように濃度補正値を較正する。ターゲット値は、予め精度の良好なインクジェット記録装置及び記録ヘッドを用いてパッチを記録し、濃度測定した際に得られた値を採用することもできる。このように、ターゲット値は極めて理想値に近い値である。ここで、例えば、ホスト１００のＣＰＵ１０あるいはプリンタ２００のＣＰＵ２０ａ（テーブル設定手段）が、補正ＬＵＴを作成することになる（テーブル設定工程）。補正ＬＵＴは記録媒体の種類や解像度ごとに作成し、作成された補正ＬＵＴは記録装置本体のメモリに保存される。また、使用環境毎に別々の補正ＬＵＴを作成してもよい。このようにして、パッチ記録手段によって記録されたパッチに基づいてテーブルが設定される。
【００６２】
また、パッチ記録手段によって記録されたパッチに基づいて、予め作成されているテーブルが選択されても良い。このようにキャリブレーションが行われる際には、記録ヘッドのＣ、Ｍ、Ｙの吐出特性のバランスが、適正な吐出特性を示す記録ヘッドのバランスと比較して好ましくない場合には、適正な吐出特性に近づくように１次元ＬＵＴテーブルが選択される。例えば、Ｃの色材を吐出する記録ヘッドの吐出特性の出力値が大きくなっていると仮定する。このとき、それぞれ補正値が異なる複数の色ずれ補正用１次元ＬＵＴ４０４のうち、Ｃ成分の出力値が入力値に対して低めの値となるような１次元ＬＵＴテーブルを選択、設定する。このようにキャリブレーションを行うことにより、Ｃの色材が多めに付与される記録ヘッドを用いても、標準的な記録特性を示す記録ヘッドと同じ色味が再現されるようにＣの色材を吐出するための出力値が小さめになる補正がなされる。これにより、記録ヘッドのＣ、Ｍ、Ｙの吐出特性のバランスが適正なバランスに保たれる。
【００６３】
上述のように、本実施形態におけるキャリブレーション工程においては、同一色のインクを吐出するノズル列を複数有しているノズル列に対して、これらのノズル列から吐出されたインクを用いてパッチの記録を行うこととしている。従って、キャリブレーションが行われる際には、一回のキャリブレーション工程で作成されるパッチの数と色の数とが一致することになり、多値データの画像データについて、そのままキャリブレーションを行うことが可能となる。これにより、画像処理工程において、画像データをノズル列ごとに分配する前に多値データの状態で色ずれ補正処理を行うこと、および色ずれ補正処理を行った後の画像データに対して２値化を行うことができる。そして、その後に２値化された画像データをノズル列ごとに分配することが可能となる。
【００６４】
このような処理工程を経て画像処理を行うことにより、多値データを２値化した後にノズル列ごと画像データを分配できるので、ノズル列の相互の補間関係が容易に保たれる。また、２値化した画像データをノズル列ごとに分配した後に色ずれ補正処理を行う必要がなく、画像データを多値データに戻し色ずれ補正処理後さらに２値化を行うような無駄な処理工程を行わなくても済む。従って、画像処理を行うのに処理が複雑とならずに済み、処理に大きなメモリを使わなくて済み、また、高速にキャリブレーション工程を行うことが可能となる。
【００６５】
また、キャリブレーション工程を行うのに、同一色のインクを吐出するノズル列によって吐出されたインク同士による吐出量や濃度の違いも考慮されることになる。例えば、同じ色のインクを吐出するノズル列のうち一方の口径が大ノズルで一方の口径が小ノズルであるような場合には、吐出されるインクの吐出量がそれらのノズル列の間で異なることになる。しかしながら、本実施形態のキャリブレーション工程によれば、大ノズルから吐出されたインク及び小ノズルから吐出されたインクの両方が用いられてパッチが作成されることになる。これらの吐出量あるいは濃度の異なるインクが合わせられてパッチが作成され、このパッチに基づいてキャリブレーションが行われることで、これらノズル列間の濃度の差が考慮されて適正にキャリブレーションが行われることになる。このように、同色の複数のノズル列で記録したパッチの濃度測定値を元にインク色データに対して補正処理を行い、補正されたインク色データを複数ノズル列群に分配することで、適正な色を記録することが可能となる。
【００６６】
なお、本実施形態においてＬＵＴ４０２、４０３、４０４はプリンタ２００に保持されているが、予めＲＯＭ２０ｃに格納しておいても、ＲＡＭ２０ｂに格納しておいても良い。また、ＲＯＭ２０ｃに格納しておく場合には、ひとつの目的のために複数のＬＵＴを予め用意しておき、そのうちから適当なＬＵＴを選択して利用できるように構成されていることが望ましい。
【００６７】
［第２の実施形態］
次に、図１１〜１３を用いて、第２の実施形態について説明する。なお、上記第１の実施形態と同様に構成できる部分については図中同一符号を付して説明を省略し、異なる部分についてのみ説明する。
【００６８】
第１の実施形態では、記録する際に、全てのノズル列から吐出されるインクが用いられる場合の実施形態を示した。これに対して第２の実施形態では、記録モードによって使用されるノズル列が選択され、記録モードによって使用されるノズル列が異なる場合の実施形態を示す。
【００６９】
本実施形態では、記録モード１ではＣ１ノズル列、Ｃ２ノズル列、Ｍ１ノズル列、Ｍ２ノズル列、Ｙノズル列、Ｋノズル列が用いられて、パッチＡ、Ｂ、Ｃ、Ｄの記録が行われている。そして、記録モード２では、Ｃ１ノズル列、Ｍ１ノズル列、Ｙノズル列、Ｋノズル列が用いられてＣ、Ｄ、Ｅ、Ｆの記録が行われている。なお、各ノズル列は、一列のノズル列でなくとも良く、それぞれの色のインクを吐出するノズル列が複数のノズル列によって形成されたノズル列群によって吐出されても良い。
【００７０】
本実施形態における画像処理工程で、記録の条件によって記録モードが選択される記録モード設定工程でフローが分岐しているフローチャートを図１１に示す。図１１は本実施形態の画像処理の流れを示すフローチャートである。
【００７１】
画像データは、ステップＳ４２１で色空間変換処理を行い、ステップＳ４２２で色変換処理を行う。その後、Ｓ４９９の記録モード判別工程（記録モード設定工程）でプリンタ２００の操作パネル２２やＣＰＵ２０ａ等による記録モード設定手段によって記録モードの設定を行い、記録の条件によって適切な記録モードの設定を行う。記録モードが選択されて設定されることで、記録の際に用いられるノズル列が決定され、それに伴い、キャリブレーションが行われるノズル列が決定される。この記録モード判別工程において、記録モード１を選択した場合はステップＳ４２３へ、記録モード２を選択した場合はステップＳ４３３の処理へ進む。
【００７２】
まず、記録モード１が設定された場合について説明する。ステップＳ４２３では出力γ処理を行い、ステップＳ４２４で色ずれ補正処理が行われる。ステップＳ４２３とステップＳ４２４を一括して行うために、ホストコンピュータから転送されてきた出力γテーブルに補正ＬＵＴを合成し、合成されたテーブルを出力γテーブルとして適用しても良い。
【００７３】
そして、ステップＳ４２４で色ずれ補正が行われた画像データについて、ステップＳ４２５で量子化処理（２値化工程）が行われる。そして、その後ステップ４２６でパス分解／ノズル列分配工程を行う。Ｓ４２４の色ずれ補正工程では、パッチＡに基づいて補正が行われてステップ４２５で２値化されたＣのデータが、Ｃ１ノズル列用とＣ２ノズル列用の記録データに分配される。また、同様に、パッチＢに基づいて補正が行われてステップ４２５で量子化されたＭの記録データは、Ｍ１ノズル列用とＭ２ノズル列用の記録データに分配される。ステップ４２５で２値化されたＹとＫデータは、Ｙノズル列及びＫノズル列にそのまま送られる。
【００７４】
ここで、キャリブレーション工程の開始命令があったときには、出力γ処理で用いられるテーブルについて補正を行うキャリブレーション工程が行われる。キャリブレーション工程は、図１３のフローに示されるステップＳ９１６のパッチ読み取りで読み取られてステップＳ９１７の濃度値格納で保存されたパッチＡ、Ｂ、Ｃ、Ｄの濃度値を元にキャリブレーション工程が行われる。このとき、ノズル列にはＣについて、Ｃ１とＣ２の二つのノズル列が用いられることから、ＣについてのパッチＡは、Ｃ１ノズル列及びＣ２ノズル列によって吐出されたインクが用いられてパッチＡが作成される。また、Ｍについても同様に、Ｍ１ノズル列及びＭ２ノズル列によって吐出されたインクが用いられてパッチＢが作成される。
【００７５】
このように、記録モード設定工程で複数の記録モードから使用する記録モードを設定する際に、記録モード設定工程によって設定された記録モードに応じて選択されたノズル列から吐出されたインクによってパッチの記録を行う。その際に、選択されたノズル列に同色のインクを吐出するノズル列が含まれていれば同色のインクを吐出するノズル列から吐出されたインクが合わせられて用いられ、パッチの記録が行われる。
【００７６】
次に、記録モード判別工程において、記録モード２が設定された場合についての画像処理のフローについて説明する。
【００７７】
記録モード２についても、出力γ処理のステップＳ４３３と色ずれ補正処理のＳステップ４３４を一括して行うために、ホストコンピュータから転送されてきた出力γテーブルに補正ＬＵＴを合成し、合成されたテーブルを出力γテーブルとして適用しても良い。その後、ステップ４３５で２値化処理を行い、ステップ４３６でパス分解処理が行われる。
【００７８】
ここで、キャリブレーション開始命令があったときにキャリブレーション工程が行われる。ここで、記録モード２においては、Ｃ、Ｍについては、ノズル列Ｃ１のみが用いられて作成されるパッチＥ及びノズル列Ｍ１のみが用いられて作成されるパッチＦが用いられてキャリブレーション工程が行われる点で記録モード１と異なる。従って、記録モード２においては、一つのインク色に対して一つのノズル列のみが用いられてパッチが作成されることになる。こうして作成されたパッチについて、パッチ測定手段によってパッチが読み取られ、後述するステップＳ９１７に保存されたステップＳ９１６で読み取ったパッチＣ、Ｄ、Ｅ、Ｆの濃度値を元にキャリブレーション工程が行われる。
【００７９】
図１２は、キャリブレーション工程において用いられるパッチを示す平面図である。パッチを構成する各カラーパッチに記載されているＡ〜Ｆまでの英字はそれぞれ、Ｃ１＋Ｃ２、Ｍ１＋Ｍ２、Ｙ、Ｋ、Ｃ１、Ｍ１インクによって記録されたパッチである。また、１〜５までの数字は、記録するカラーパッチの濃度階調をランク付けしたものでる。階調値は５値に限るものではない。また、数字の大きさと階調の高さが関連するとは限らない。
【００８０】
図１３は、画像処理工程において、パッチの記録開始から濃度測定までプリンタ２００の動作の流れを説明するフローチャートである。
【００８１】
ホスト装置または記録装置の操作パネルより、パッチを記録して濃度を測定するキャリブレーション動作の実行の指示が入力されると、まず、パッチの記録のために、記録媒体を供給する（Ｓ９１１）。そして、パッチＡ、Ｂ、Ｃ、Ｄ、Ｅ、Ｆを記録する（Ｓ９１２）。パッチＡはＣ１及びＣ２ノズル列群を使用して記録する。パッチＢはＭ１及びＭ２ノズル列群を使用して記録する。パッチＣはＹノズル列群を使用して記録する。パッチＤはＫノズル列群を使用して記録する。パッチＥはＣ１ノズル列群を使用して記録する。パッチＦはＭ１ノズル列群を使用して記録する。次に、Ｓ９０２において記録したパッチを乾燥させるために、所定時間（本実施形態においてはα秒）待機するためのタイマーカウンタをスタートする（Ｓ９１３）。
【００８２】
続いて多目的センサ１０２を用いてパッチが記録されていない白レベル（記録媒体の地色）の反射光度測定を開始する（Ｓ９１４）。白レベルの測定結果はこの後に記録するパッチの濃度値算出を行う際の、基準白として利用される。このため、白レベルの値はＬＥＤ毎にそれぞれ保持される。乾燥タイマーのカウンタが所定時間経過したことが確認された後（Ｓ９１５）、パッチＡ、Ｂ、Ｃ、Ｄ、Ｅ、Ｆの反射光度測定を開始する（Ｓ９１６）。反射光度測定は、多目的センサ１０２に搭載されているＬＥＤ２０５から２０７のうち、濃度測定するインク色に適したＬＥＤを点灯し、フォトトランジスタ２０３及び２０４により反射光を読み取ることにより行う。緑色ＬＥＤ２０５は、例えば、Ｍインクにより記録されたパッチ、及びパッチが記録されていない空白部分（白色）を測定する時に点灯する。
【００８３】
また、青色ＬＥＤ２０６は、例えば、Ｙインク、Ｋインクにより記録されたパッチ、及びパッチが記録されていない空白部分（白色）を測定する時に点灯する。さらに、赤色ＬＥＤ２０７は、例えば、Ｃにより記録されたパッチ及びパッチが記録されていない空白部分（白色）を測定する時に点灯する。ステップＳ９０６が終了すると、記録モードに応じたそれぞれのパッチが用いられてテーブルの補正が行われる。このとき、それぞれのパッチと空白部分（白色）の双方からの出力値に基づいてパッチの濃度値を算出し、それぞれのパッチの濃度値は、記録装置本体内のメモリ３０６またはＲＡＭ２０ｂに保存される（Ｓ９１７）。その後、記録媒体の排出処理を行い、処理を終了する（Ｓ９１８）。
【００８４】
本実施形態においても、記録モード１では、記録装置が、Ｃについて同じ色のインクを吐出するノズル列Ｃ１及びＣ２と、Ｍについて同じ色のインクを吐出するノズル列Ｍ１及びＭ２とを有している。従って、本実施形態においては、記録モード１では、同じ色のインクを吐出するノズル列から吐出されるインクが合わせられて用いられることでパッチが作成されるので、結果的にインクの色の数とノズル列の数とが一致することになる。これにより、画像データについて色ずれ補正、および画像データの２値化を行い、その後に画像データをノズル列ごとに分配することができる。従って、ノズル列ごとに分配した画像データについて、ノズル列ごとの補間関係を保つために複雑な処理を行う必要がなく、また、画像データを分配した後に多値化してさらに２値化するような煩雑な処理を行う必要もなくなる。従って、画像処理を行うのに大きなメモリを用いる必要がなくなり、小メモリで済むようになる。また、高速に画像処理を行うことができるようになる。
【００８５】
以上述べてきたとおり、同色のインク色を吐出するノズル列を複数有する記録装置から記録されたパッチに対してキャリブレーションを行うのに、記録モードによって使用するノズル列数が異なる場合にも第１の実施形態と同様の処理を行うことが可能である。そして、記録するのに用いられるノズル列によって記録したパッチの濃度測定値を元にインク色データに対してキャリブレーションを行い、補正されたインク色データをノズル列に分配することで、記録モード毎に適正な色を記録することが可能となる。
【図面の簡単な説明】
【００８６】
【図１】本発明の第１の実施形態に係る記録装置及びホストシステムを含めた記録システムの構成を示すブロック図である。
【図２】図１の記録システムに用いられている記録装置の斜視図である。
【図３】図２の記録装置に取り付けられている記録ヘッドを吐出口面から見た正面図である。
【図４】図１の記録システムに用いられている記録装置の制御構成を示すブロック図である。
【図５】（ａ）は、図１の記録装置に取り付けられている多目的センサの平面図であり、（ｂ）は、その断面図を模式的に示した図である。
【図６】図５の多目的センサにおけるそれぞれのセンサの入出力信号を処理する制御回路を説明するための説明図である。
【図７】図１の記録システムにおける画像データの処理の流れを説明するための説明図である。
【図８】図７におけるそれぞれの補正処理による画像データの処理の流れを説明するための説明図である。
【図９】ノズル列とパッチとの対応関係を説明するための説明図である。
【図１０】パッチの記録開始から濃度測定までの記録装置の処理の流れを説明するためのフローチャートである。
【図１１】本発明の第２の実施形態に係る記録システムの画像データの処理の流れを説明するためのフローチャートである。
【図１２】図１１の記録システムにおけるノズル列とパッチとの対応関係を説明するための説明図である。
【図１３】図１１の記録システムにおけるキャリブレーション処理における画像データの処理の流れを説明するためのフローチャートである。
【符号の説明】
【００８７】
５  記録ヘッド
５ａ、５ｂ、５ｃ、５ｄ、５ｅ、５ｆ  ノズル列
１０２  多目的センサ
２００  プリンタ
４１４  キャリブレーション工程
４１５  ２値化工程
４２６  画像データ分配工程
【図１】
0005754873.tif 000002
【図２】
0005754873.tif 000003
【図３】
0005754873.tif 000004
【図４】
0005754873.tif 000005
【図５】
0005754873.tif 000006
【図６】
0005754873.tif 000007
【図７】
0005754873.tif 000008
【図８】
0005754873.tif 000009
【図９】
0005754873.tif 000010
【図１０】
0005754873.tif 000011
【図１１】
0005754873.tif 000012
【図１２】
0005754873.tif 000013
【図１３】
0005754873.tif 000014